(57)【要約】本発明は、医療施術の時、人体内部に挿入されるように刺されて、外部と人体の内部とを連結する医療用カニューレに関し、より詳しくは、施術部位と皮膚との間の長さによって外側支持板の位置を調節し、前記調節された外側支持板は、皮膚に接し、人体内部に挿入された内側支持板は、身体内部の内皮に接して支持されるようにすることで、それぞれの医療施術の対象者ごとにその長さが互いに異なる施術部位と皮膚との間の距離に関係なく、安定的に設置できるようにする長さ調節型カニューレに関する。
2014519891.tif 000002
【特許請求の範囲】
【請求項１】
医療施術の時、人体内部に挿入されるように刺されて、外部と人体の内部とを連結するカニューレにおいて、
内部には、施術道具が通過することができる引入孔が形成されており、外周面には、螺糸山が形成されている管形状の胴体と、
人体の外側に配置されるように前記胴体の一端部に具備されたベース取っ手と、
前記人体の内側に配置されるように前記胴体の他端部に具備された内側支持板と、
前記胴体の外周面にねじ結合され、前記胴体の長手方向に沿って移動可能な外側支持板と、
を含み、
各施術対象者ごとに異なる施術部位と皮膚との間の距離によって前記外側支持板の位置を調節し、前記調節された外側支持板は皮膚に接し、前記内側支持板は身体内部の内皮に接して支持されるとともに、
前記内側支持板は、前記皮膚に接する外側支持板を向くように傾いた笠（ｓｈａｄｅ）形状になされており、前記内側支持板の表面に反り用の溝が形成されていることを特徴とする、長さ調節型カニューレ。
【請求項２】
前記外側支持板には、支持板用の取っ手が形成されていることを特徴とする、
請求項１に記載の長さ調節型カニューレ。
【請求項３】
前記ベース取っ手と、内側支持板と、外側支持板とは、シリコーン材質で構成されていることを特徴とする、
請求項１に記載の長さ調節型カニューレ。
【請求項４】
人体の外部を向いている前記外側支持板の上面には、支持板用の補強板が積層されていることを特徴とする、
請求項３に記載の長さ調節型カニューレ。
【発明の詳細な説明】
【技術分野】
【０００１】
本発明は、医療施術の時、人体内部に挿入されるように刺されて、外部と人体の内部とを連結する医療用カニューレに関し、より詳しくは、施術部位と皮膚との間の長さによって外側支持板の位置を調節し、前記調節された外側支持板は、皮膚に接し、人体内部に挿入された内側支持板は、身体内部の内皮に接して支持されるようにすることで、それぞれの医療施術の対象者ごとにその長さが互いに異なる施術部位と皮膚との間の距離に関係なく、安定的に設置できるようにする長さ調節型カニューレに関する。
【背景技術】
【０００２】
一般的に、医療用カニューレ（ｃａｎｎｕｌａ）は、小さなチューブまたは挿入管の形状になされているので、皮膚を切開して人体の内部に挿入固定すれば、前記挿入されたカニューレによって切開部を確保するようにし、その状態でカニューレに貫通形成されている引入孔を介して各種施術道具を挿入することで、必要な医療施術を可能とする。
【０００３】
すなわち、カニューレは、図１に図示されたように肩の回旋筋腱板（ｒｏｔａｔｏｒ  ｃｕｆｆ）の施術や、図２に図示されたように習慣性脱臼（Ｂａｎｋａｒｔ  Ｒｅｐａｉｒ）、長頭二頭筋の破裂（Ｌｏｎｇ  ｈｅａｄ  ｏｆ  Ｂｉｃｅｐｓ  Ｔｅｎｄｏｎ）、関節窩上腕骨（ｇｌｅｎｏｈｕｍｅｒａｌ）などの施術や、または、図３に図示されたように膝関節、半月状軟骨、十字靭帯の施術などの関節内視鏡下の多様な医療施術の時、皮膚の切開された状態を確保できるようにする。
【０００４】
これのために、カニューレ１０は、内部に前記引入孔が貫通形成されている管形状の胴体１３と、前記胴体１３の一端に具備された外側支持板１１と、前記胴体１３の他端に具備された内側支持板１２とからなる。
【０００５】
したがって、皮膚を切開した後、カニューレ１０を人体の内部に挿入すれば、外側支持板１１は皮膚に接し、内側支持板１２は内皮に接して支持及び固定され、このとき、皮膚と内皮との間の切開部は、胴体１３に確保できるようにする。
【０００６】
しかし、以上のような従来のカニューレ１０は、外側支持板１１と内側支持板１２が胴体１３の両端部にそれぞれ固定されているので、図４に図示されているように胴体１３の長さが互いに異なる複数のカニューレ１０を準備し、その中で医療施術の対象者の施術部位と皮膚との間の距離（ｔ）に適したいずれか一つを選択して使用しなければならないという問題点があった。
【０００７】
また、以上のように複数のカニューレ１０のうち、医療施術の対象者に適した胴体１３の長さを有するカニューレ１０を選択するためには、施術部位と皮膚との間の距離（ｔ）をあらかじめ測定しなければならないので、施術時間が増えるのはもちろん、施術が難しくなり、測定が間違えていた場合には、他のカニューレ１０に取り替える過程で皮膚の切開部が拡張されて、患者の安定にもっと長時間がかかり、傷あとも大きく残るという問題点があった。
【発明の概要】
【発明が解決しようとする課題】
【０００８】
本発明は、上述したような問題点を解決するために提案されたもので、施術部位と皮膚との間の長さによって外側支持板の位置を調節し、前記調節された外側支持板は皮膚に接し、人体内部に挿入された内側支持板は、身体内部の内皮に接して支持されることにより、それぞれの医療施術の対象者ごとにその長さが互いに異なる施術部位と皮膚との間の距離に関係なく、安定的に設置できるようにする長さ調節型  カニューレを提供しようとする。
【０００９】
さらに、本発明は、上述したように施術対象者に関係なく使用が可能であるので、医療施術の対象者に適した胴体の長さを有するカニューレを選択するために、施術部位と皮膚との間の距離をあらかじめ測定する必要がないため施術時間が短縮されて施術が容易になり、他のカニューレに取り替える必要がないため皮膚の切開部が拡張されることを防止することができる長さ調節型カニューレを提供しようとする。
【課題を解決するための手段】
【００１０】
このために、本発明に係る長さ調節型カニューレは、医療施術の時、人体内部に挿入されるように刺されて、外部と人体の内部とを連結するカニューレにおいて、内部には、施術道具が通過することができる引入孔が形成されており、外周面には、螺糸山が形成されている管形状の胴体と、人体の外側に配置されるように前記胴体の一端部に具備されたベース取っ手と、前記人体の内側に配置されるように前記胴体の他端部に具備された内側支持板と、前記胴体の外周面にねじ結合されて前記胴体の長手方向に沿って移動可能な外側支持板と、を含んで、各施術対象者ごとに異なる施術部位と皮膚との間の距離によって前記外側支持板の位置を調節し、前記調節された外側支持板は皮膚に接し、前記内側支持板は身体内部の内皮に接して支持されることを特徴とする。
【００１１】
このとき、前記外側支持板には、支持板用の取っ手が形成されていることが好ましい。
また、前記内側支持板は、前記皮膚に接する外側支持板を向くように傾いた笠（ｓｈａｄｅ）形状になされていることが好ましい。
また、前記内側支持板は、表面に反り用の溝が形成されていることが好ましい。
また、前記ベース取っ手と、内側支持板と、外側支持板とは、シリコーン材質で構成されていることが好ましい。
また、人体の外部を向いている前記外側支持板の上面には、支持板用の補強板が積層されていることが好ましい。
【発明の効果】
【００１２】
以上のような本発明に係る長さ調節型カニューレによれば、施術部位と皮膚との間の長さによって外側支持板の位置を調節し、前記調節された外側支持板は皮膚に接し、人体内部に挿入された内側支持板は、身体内部の内皮に接して支持されるようにする。したがって、それぞれの医療施術の対象者ごとにその長さが互いに異なる施術部位と皮膚との間の距離に関係なく、安定的な設置を可能とする。
【００１３】
また、本発明は、以上のように施術対象者に関係なく使用が可能であるので、医療施術の対象者に適した胴体の長さを有するカニューレを選択するために、施術部位と皮膚との間の距離をあらかじめ測定する必要がないため施術時間が短縮されて施術が容易になり、他のカニューレに取り替える必要がないため皮膚の切開部が拡張されることを防止することができる。
【図面の簡単な説明】
【００１４】
【図１】従来技術による医療用カニューレを利用した肩の回旋筋腱板の施術状態を示した図である。
【図２】従来技術による医療用カニューレを利用した関節窩上腕骨の施術状態を示した図である。
【図３】従来技術による医療用カニューレを利用した膝関節の施術状態を示した図である。
【図４】従来技術による多様な長さの医療用カニューレを示した図である。
【図５】本発明に係る長さ調節型カニューレを示した斜視図である。
【図６】本発明に係る長さ調節型カニューレの内側支持板を示した他の実施例を示した斜視図である。
【図７】本発明に係る長さ調節型カニューレの外側支持板を示した正面図である。
【図８】本発明に係る長さ調節型カニューレの動作状態図である。
【発明を実施するための形態】
【００１５】
以下、添付された図面を参照して本発明の好ましい実施例による長さ調節型カニューレについて詳しく説明する。
【００１６】
ただし、以下では、外側支持板は皮膚に接して支持され、内側支持板は内皮に接して支持されることを例にあげて説明するが、前記内皮は、その名称にもかかわらず、医療施術の種類によってカニューレが人体内部に挿入して支持される施術部位に応じて多様な部分であってもよいことは、当業者に自明である。
【００１７】
まず、図５に図示されたように、本発明に係る長さ調節型カニューレ２０は、内部には、長手方向に沿って施術道具が通過することができる引入孔（図示せず）が形成されており、外周面には、螺糸山２２が形成されている管形状の胴体２１と、前記胴体２１の一端部に具備されたベース取っ手２３と、胴体２１の他端部に具備された内側支持板２４と、胴体２１の外周面にねじ結合されて前記胴体２１の長手方向に沿って移動可能な外側支持板２５と、を含む。
【００１８】
したがって、皮膚を切開して人体内部にカニューレ２０を挿入固定すれば、前記挿入されたカニューレ２０によって切開部を確保するようにし、その状態でカニューレ２０の胴体２１に貫通形成されている引入孔を介して各種施術道具を挿入することで、必要な医療施術ができるようにする。すなわち、カニューレ２０が医療施術の時、人体内部に挿入されるように刺されて、外部と人体の内部とを連結する通路として使用できるようにする。
【００１９】
特に、本発明は、従来技術と差別的に、外側支持板２５が胴体２１の外周面に形成された螺糸山２２にねじ結合されていて、胴体２１の長手方向によって移動可能であるので、施術対象者の施術部位（すなわち、内皮など）と皮膚との間の距離によって外側支持板２５の位置を調節し、以上のように調節された外側支持板２５は、皮膚に接し、内側支持板２４は、身体内部の内皮に接して支持されるようにする。
【００２０】
したがって、外側支持板２５と内側支持板２４を利用して皮膚の外側と皮膚の内側とを加圧する方式で固定すれば、施術対象者ごとに施術部位と皮膚との間の距離が互いに異なっても、一つのカニューレ２０のみで全ての施術対象者を施術することができるようにする。
【００２１】
また、以上のように施術対象者に関係なく使用が可能であるので、医療施術の対象者に適した胴体２１の長さを有するカニューレ２０を選択するために、施術部位と皮膚との間の距離をあらかじめ測定する必要がないため施術時間が短縮されて施術が容易になり、前記測定失敗などの原因で他のカニューレに取り替える必要がないため間違いで皮膚の切開部が拡張されることを防止する。
【００２２】
より具体的に説明すれば、前記胴体２１は、管形状になされており、その内部には、長手方向に沿って引入孔が貫通形成されているので、一端部（すなわち、人体外部に向いている側）を介して挿入された施術道具が他端部（すなわち、人体内部に向いている側）を通過して施術部位に到逹することができるようにする。
【００２３】
このとき、使用可能な施術道具は、上述したように、肩の回旋筋腱板（ｒｏｔａｔｏｒ  ｃｕｆｆ）の施術や、関節窩上腕骨（ｇｌｅｎｏｈｕｍｅｒａｌ）の施術や、または、膝関節の施術などを含む多様な医療施術に使用されるピンセット、手術はさみ及びナイフは勿論、その他に体内に薬物を注入するか又は体液を取り出すためのさらに他のカニューレや骨粗しょう症（ｏｓｔｅｏｐｏｒｏｓｉｓ）の治療のために充填材を注入する注入器など、その種類は関係ない。
【００２４】
また、胴体２１の外周面には螺糸山２２が形成されているので、外側支持板２５がその中心部に形成された螺糸孔（図７のＨを参照）を介してねじ結合されるようにし、好ましくは、軽くて柔らかいながらも弾性のあるシリコーン材質で構成され、自重によって当該胴体２１が動いて皮膚の切開部が拡大されることを防止し、切開部と密着されて体液が外部に漏出されることを防止する。
【００２５】
内側支持板１２は、胴体２１の一端に固定されているので、医者など医療施術者が別途の器具を用いて内側支持板１２を取ってカニューレ２０を人体の内部に挿入するか、ベース取っ手２３を取って外側支持板２５を回して外側支持板２５の位置を変更することにより、施術対象者によって長さを調節することができるようにする。
【００２６】
このようなベース取っ手２３もその重さを軽くするためにシリコーン材質で構成されており、必要に応じては、ベース取っ手２３の外側を向いている上面にプラスチックなどの堅固な材質の補強層２３ａを積層及び固定させることにより、当該ベース取っ手２３が変形されて取っ手の役目をしないことを防止することが好ましい。
【００２７】
内側支持板２４は、前記ベース取っ手２３と対向する胴体２１の他端部（すなわち、人体内部に向いている側）に固定されており、基本的には、原板の形状になされている。したがって、切開部を介してカニューレ２０を人体の内部に挿入すれば、内側支持板２４が内皮に接して支持されることにより、外側支持板２５とともに皮膚と内皮を両側で加圧しながら挿入されたカニューレ２０が固定されるようにする。
【００２８】
特に、内側支持板２４は、皮膚に接する外側支持板２５の側を向くように傾いた笠（ｓｈａｄｅ）形状になされている。内側支持板２４が笠形状に傾くように形成されていれば、皮膚の切開部を介してカニューレ２０を挿入する時、内側支持板２４が進入方向に対して反対方向に撓みながらカニューレ２０の挿入を容易にし、挿入後には、内皮に堅く接して支持されるので、まるでアンカー（ａｎｃｈｏｒ）のように作用してカニューレ２０の離脱を防止する。
【００２９】
また、内側支持板２４は、図６に図示されたように表面に反り用の溝２４ａ，２４ｂが形成されているが、反り用の溝２４ａ，２４ｂは、内側支持板２４の上面に具備されるか、内側支持板２４の下面に具備されるか、または、内側支持板２４の上面と下面にそれぞれ具備される。
【００３０】
反り用の溝２４ａ，２４ｂは、一例として図示したように胴体２１を原点にした原形溝を使用してもよく、必要な時には、同じ中心を有して半径が異なる２以上の原形溝からなる同心円の形状を使用してもよい。
【００３１】
このような反り用の溝２４ａ，２４ｂは、内側支持板２４を一側または他側にさらによく撓むようになっているので、カニューレ２０の引入はもちろん、引き出しも容易にして、笠形状になされた内側支持板２４を有するカニューレ２０の引き出しも容易にする。
【００３２】
外側支持板２５は、施術対象者の皮膚に接して支持されるので、前記内側支持板２４とともに人体の皮層を加圧してカニューレ２０が固定されるようにすることで、胴体２１の長手方向に沿って移動可能に構成されており、内側支持板２４との間隔に該当する相対的な長さを調節できるようにする。
【００３３】
このために、外側支持板２５は、図７に図示されているように、その中心には、螺糸孔（Ｈ）が貫通形成されており、胴体２１の外周面に形成されている螺糸山２２にかみ合うように挟まれると、胴体２１の長手方向に沿って（すなわち、ねじ進行方向に沿って）移動するようになる。
【００３４】
また、外側支持板２５の外周面には、支持板用の取っ手（Ｇ）が突出形成されているので、前記支持板用の取っ手（Ｇ）を持って外側支持板２５を回転させることにより、以上のように外側支持板２５の位置を便利に調節できるようにする。
【００３５】
また、外側支持板２５は、基本的にシリコーン材質で構成されており、必要に応じては、外側を向いている外側支持板２５の上面にプラスチックなど堅固な材質の支持板用の補強板２５ａを積層及び固定させることにより、当該外側支持板２５が過度に変形されることを防止して、支持板の役目を充分に行うことができるようにする。
【００３６】
すなわち、外側支持板２５のうち、皮膚に直接接触する内層は、柔らかいシリコーン材質で構成されるようにし、このとき、外側支持板２５は、人体内部に挿入される部分ではないので、その外側には、堅固な材質の支持板用の補強板２５ａを積層することで、外側支持板２５が変形されずに堅固に支持できるようにする。
【００３７】
したがって、本発明は、図８の（ａ）及び（ｂ）にそれぞれ図示されているように、施術対象者の施術部位と皮膚との間の距離によって、胴体２１に沿って移動する外側支持板２５の位置を調節することにより、それぞれの医療施術の対象者ごとにその長さが互いに異なる施術部位と皮膚との間の距離に関係なく、安定的な設置を可能とするので、従来のように互いに異なる医療施術の対象者のために、長さが互いに異なる複数のカニューレ（図４の１０参照）を具備する必要がないようにする。
【００３８】
それだけでなく、本発明は、一つのカニューレ２０をもって施術対象者に関係なく使用が可能であるので、医療施術の対象者に適した胴体２１の長さを有するカニューレ２０を選択するために、施術部位と皮膚との間の距離をあらかじめ測定する必要がないため施術時間が短縮されて施術が容易になり、他のカニューレ２０に取り替える必要がないため皮膚の切開部が拡張されることを防止することができるようにする。
【産業上の利用可能性】
【００３９】
以上、本発明の特定の実施例について上述した。しかし、本発明の思想及び範囲は、このような特定の実施例に限定されるものではなく、本発明の要旨を変更しない範囲内で多様に修正及び変形が可能であることは、本発明が属する技術分野で通常の知識を有する者であれば、理解するはずである。
【００４０】
したがって、以上で記述した実施例は、本発明が属する技術分野で通常の知識を有する者に発明の範疇を完全に知らせるために提供されるものであるので、すべての面で例示的なものであり、限定的なものではないと理解しなければならない。本発明は、請求項の範疇によって定義されるだけである。
【図１】
2014519891.tif 000003
【図２】
2014519891.tif 000004
【図３】
2014519891.tif 000005
【図４】
2014519891.tif 000006
【図５】
2014519891.tif 000007
【図６】
2014519891.tif 000008
【図７】
2014519891.tif 000009
【図８（ａ）】
2014519891.tif 000010
【図８（ｂ）】
2014519891.tif 000011
【国際調査報告】
2014519891.tif 000012
2014519891.tif 000013
2014519891.tif 000014
2014519891.tif 000015